(57)【要約】【課題】製造及び取扱いが容易でコストも抑制可能で、カビを発生させ難くした医療用トレイを提供する。【解決手段】略矩形状の底部３０の周端から側壁４０が立設し上方が開口した略箱状であって、医療容器及び脱酸素剤を内部に収容するとともに可撓性を有する袋の中に入れて包装される医療用トレイ２００において、側壁４０の上部に凸部４１及び凹部４２を交互にそれぞれ複数設けて櫛歯状にし、さらに底部３０の内面に互いに平行な複数の縦溝３１と縦溝３１に垂直で互いに平行な複数の横溝３２を形成するとともに、側壁４０の内面に上下方向に延び互いに平行な複数の上下溝４３を形成し、縦溝３１を上下溝４３と連通させた。【選択図】図４
2014188013.tif 000002
【特許請求の範囲】
【請求項１】
略矩形状の底部の周端から側壁が立設し上方が開口した略箱状であって、医療容器及び脱酸素剤を内部に収容するとともに可撓性を有する袋の中に入れて包装される医療用トレイにおいて、
前記側壁の上部に凸部及び凹部を交互にそれぞれ複数設けて櫛歯状にしたことを特徴とする医療用トレイ。
【請求項２】
前記凸部の前記医療用トレイ周方向の幅は、前記凹部の前記医療用トレイ周方向の幅よりも広いことを特徴とする請求項１に記載の医療用トレイ。
【請求項３】
前記底部の内面に互いに平行な複数の縦溝と前記縦溝に垂直で互いに平行な複数の横溝を形成するとともに、前記側壁の内面に上下方向に延び互いに平行な複数の上下溝を形成し、
前記縦溝及び前記横溝のうち少なくともいずれか一方を前記上下溝と連通させたことを特徴とする請求項１または２に記載の医療用トレイ。
【請求項４】
前記縦溝を前記横溝よりも深く形成したことを特徴とする請求項１乃至３に記載の医療用トレイ。
【請求項５】
前記上下溝を前記凹部と連通させたことを特徴とする請求項３又は４に記載の医療用トレイ。
【請求項６】
前記凹部を前記上下溝の真上に形成したことを特徴とする請求項５に記載の医療用トレイ。
【請求項７】
前記底部の外面に互いに平行な複数の縦畝と前記縦畝に垂直で互いに平行な複数の横畝を形成するとともに、
前記縦畝を前記横畝よりも高くしたことを特徴とする請求項１乃至６に記載の医療用トレイ。
【請求項８】
前記縦畝は前記縦溝と、前記横畝は前記横溝とそれぞれ表裏一体に形成されることを特徴とする請求項７に記載の医療用トレイ。
【請求項９】
前記凸部の上端を断面円弧状としたことを特徴とする請求項１乃至８のうちいずれか一つに記載の医療用トレイ。
【発明の詳細な説明】
【技術分野】
【０００１】
本発明は、上方が開口した略箱状で、医療容器及び脱酸素剤を内部に収容するとともに可撓性を有する袋の中に入れて包装される医療用トレイに関するものである。
【背景技術】
【０００２】
薬液等が入ったパウチ型の医療容器は、型崩れし易いので、プラスチック製の医療用トレイに収容されることが多く、また、医療容器が収容された医療用トレイは、通常、取扱い易さや衛生面を考慮して、可撓性を有する袋でさらに包装される。
【０００３】
ここで、袋によって医療容器及び医療用トレイを密封してから医療現場で使用されるまでの間、保管状況や輸送時の条件などにより、包装体が高温多湿の悪条件にさらされるおそれがある。ここで、袋内に酸素が含まれていた場合、袋内の湿度や温度等の条件によっては袋内にカビが発生する場合がある。
【０００４】
このような事態を避けるために、医療用トレイには医療容器とともに脱酸素剤が収容されることにより袋内の酸素の除去が行われる。
しかし、平面状の医療用トレイの底部に脱酸素剤を載置してそれを医療容器で上から覆うと、袋内の雰囲気が脱酸素剤にほとんど接しないので、酸素の除去が十分に行われず、カビの発生を抑制することは困難である。
そこで、底部に溝を形成した医療用トレイが開示されている（例えば、特許文献１，２参照）。
【０００５】
この医療用トレイは、略矩形状の底部の周端から側壁が立設し上方が開口した略箱状であって、医療容器及び脱酸素剤が配置される底部の内面に縦溝及び横溝が形成されてなるトレイで、ＰＰ製やＰＥ製の袋の中に入れて包装される。
【０００６】
これによれば、医療容器が医療用トレイ内で脱酸素剤の上に覆い被さっていても、脱酸素剤の下方に位置する縦溝及び横溝を介して袋内の雰囲気から酸素を除去できるので、医療用トレイの内部でのカビの発生を抑制することができる。
【０００７】
しかし、医療用トレイを可撓性を有する袋で包装したときに医療用トレイの側壁上端は、袋と密着し易いので、側壁の上端全周にわたって袋が密着すると医療用トレイの内側と外側が隔絶されてしまう。その結果、医療用トレイ内側の酸素を、形成された溝を介して除去することができても、医療用トレイ外側の酸素は十分に除去できず、医療用トレイ外側にはカビが発生してしまう。
【０００８】
この点を改善するために、図７に示すような底部１０に孔１１を形成して内側と外側を連通した医療用トレイ１００を用いる方法が考えられる。
図７の医療用トレイ１００によると、脱酸素剤とともに医療用トレイ１００が袋に入れられて医療用トレイ１００の側壁２０の上端全周が袋と密着しても、その孔１１を介して医療用トレイ１００外側の雰囲気から酸素を除去できるので、カビの発生を抑制することができる。
【先行技術文献】
【特許文献】
【０００９】
【特許文献１】特開昭５８−１９２５５２号公報
【特許文献２】特開昭６２−２９９２６５号公報
【発明の概要】
【発明が解決しようとする課題】
【００１０】
しかしながら、図７に示す医療用トレイ１００は孔１１をカットして形成されるので、カットの分だけ工程数が増加し生産性が低下してしまう。
また、従来は不要であった孔１１をカットするための装置が新たに必要となるので、設備にコストが嵩んでしまう。
さらに、孔１１をカットしてできた部材は廃棄するしかないので、この分だけ部材が無駄となり廃棄にも手間がかかる。
【００１１】
また、孔１１をカットした際には孔１１の周囲にバリが発生するので、バリによって医療容器や脱酸素剤を傷付けるリスクがあり、またバリを除去しようとすると余分な工程がさらに発生する。
加えて、孔１１を形成すると医療用トレイ１００の強度が低下してしまい作業者が安定した状態で保持できないおそれがあるので、医療用トレイ１００の製造現場や医療用トレイ１００が使用される医療現場において作業性が低下するといった問題もある。
【００１２】
そこで、本発明の目的とするところは、製造及び取扱いが容易でコストも抑制可能で、カビを発生させ難くした医療用トレイを提供することにある。
【課題を解決するための手段】
【００１３】
上記の目的を達成するために、本発明の請求項１に記載の医療用トレイ（２００）は、略矩形状の底部（３０）の周端から側壁（４０）が立設し上方が開口した略箱状であって、医療容器及び脱酸素剤を内部に収容するとともに可撓性を有する袋の中に入れて包装される医療用トレイ（２００）において、前記側壁（４０）の上部に凸部（４１）及び凹部（４２）を交互にそれぞれ複数設けて櫛歯状にしたことを特徴とする。
【００１４】
また、請求項２に記載の医療用トレイ（２００）は、前記凸部（４１）の前記医療用トレイ（２００）周方向の幅が、前記凹部（４２）の前記医療用トレイ（２００）周方向の幅よりも広いことを特徴とする。
【００１５】
また、請求項３に記載の医療用トレイ（２００）は、前記底部（３０）の内面に互いに平行な複数の縦溝（３１）と前記縦溝（３１）に垂直で互いに平行な複数の横溝（３２）を形成するとともに、前記側壁（４０）の内面に上下方向に延び互いに平行な複数の上下溝（４３）を形成し、前記縦溝（３１）及び前記横溝（３２）のうち少なくともいずれか一方を前記上下溝（４３）と連通させたことを特徴とする。
【００１６】
さらに、請求項４に記載の医療用トレイ（２００）は、前記縦溝（３１）を前記横溝（３２）よりも深く形成したことを特徴とする。
【００１７】
また、請求項５に記載の医療用トレイ（２００）は、前記上下溝（４３）を前記凹部（４２）と連通させたことを特徴とする。
【００１８】
また、請求項６に記載の医療用トレイ（２００）は、前記凹部（４２）を前記上下溝（４３）の真上に形成したことを特徴とする。
【００１９】
また、請求項７に記載の医療用トレイ（２００）は、前記底部（３０）の外面に互いに平行な複数の縦畝（３３）と前記縦畝（３３）に垂直で互いに平行な複数の横畝（３４）を形成するとともに、前記縦畝（３３）を前記横畝（３４）よりも高くしたことを特徴とする。
【００２０】
また、請求項８に記載の医療用トレイ（２００）は、前記縦畝（３３）は前記縦溝（３１）と、前記横畝（３４）は前記横溝（３２）とそれぞれ表裏一体に形成されることを特徴とする。
【００２１】
また、請求項９に記載の医療用トレイ（２００）は、前記凸部（４１）の上端を断面円弧状としたことを特徴とする。
【００２２】
ここで、上記括弧内の記号は、図面および後述する発明を実施するための形態に記載された対応要素または対応事項を示す。
【発明の効果】
【００２３】
本発明の請求項１に記載の医療用トレイによれば、側壁の上部に凸部及び凹部を交互にそれぞれ複数設けて櫛歯状にしたので、袋が側壁の上端全周、すなわち全ての凸部に密着しても袋は凹部には密着しない。これにより、凹部は袋によって塞がれることはないので空隙としてそのまま残る。したがって、凹部を介して医療用トレイの内外が通気するので、医療用トレイ内部に収容された脱酸素剤によって医療用トレイの外部の雰囲気から酸素を除去して、カビの発生を抑制することができる。
【００２４】
また、このように凸部及び凹部を交互にそれぞれ複数設けることは、例えば真空成形によって実現できるので、凸部及び凹部を医療用トレイの他の部位と同時に一度に形成可能である。よって、従来と比べても工程数の増加もなく、また製造方法も容易なので、コスト高とはならない。
また、側壁の上部に凸部及び凹部をそれぞれ複数形成しても、医療用トレイ全体の強度は低下しないので、その取扱いは容易で製造現場や医療現場における作業性の低下という問題も生じない。
【００２５】
また、請求項２に記載の医療用トレイによれば、請求項１に記載の発明の作用効果に加え、前記凸部の医療用トレイ周方向の幅が前記凹部の医療用トレイ周方向の幅よりも広くなるよう形成しているので、医療用トレイを袋で包装したときに凸部と袋との接触面積を多く確保できる。そのため、凹部が袋によってふさがれることがない。
【００２６】
また、請求項３に記載の医療用トレイによれば、請求項１又は２に記載の発明の作用効果に加え、底部の内面に互いに平行な複数の縦溝と縦溝に垂直で互いに平行な複数の横溝を形成するとともに、側壁の内面に上下方向に延び互いに平行な複数の上下溝を形成し、縦溝及び横溝のうち少なくともいずれか一方を上下溝と連通させたので、医療容器が脱酸素剤の上に覆い被さっていても、縦溝、横溝、及び上下溝を介して医療用トレイの内部の雰囲気から酸素を除去でき、医療用トレイ内部においてもカビの発生を抑制可能である。
【００２７】
また、請求項４に記載の医療用トレイによれば、請求項１乃至３に記載の発明の作用効果に加え、縦溝を横溝よりも深く形成したので、仮に医療容器が横溝に密着した場合でも、横溝よりも深い縦溝には密着しない。よって、確実に縦溝を介して医療用トレイ内部の雰囲気から酸素を除去できるので、一層カビが発生し難い。
【００２８】
また、請求項５に記載の医療用トレイによれば、請求項３又は４に記載の発明の作用効果に加え、上下溝を凹部と連通させたので、縦溝、横溝、上下溝、及び凹部を介して医療用トレイの内部及び外部の雰囲気から酸素を確実に除去できる。よって、医療用トレイの内部及び外部においてカビの発生をさらに抑制できる。
【００２９】
また、請求項６に記載の医療用トレイによれば、請求項５に記載の発明の作用効果に加え、凹部を上下溝の真上に形成したので、上下溝と凹部との距離が最短となり、通気の効率がよい。よって、酸素の除去の効率もよいので、カビの発生を抑制可能である。
【００３０】
また、請求項７に記載の医療用トレイによれば、請求項１乃至６に記載の発明の作用効果に加え、底部の外面に互いに平行な複数の縦畝と縦畝に垂直で互いに平行な複数の横畝を形成するとともに、縦畝を横畝よりも高くしたので、医療用トレイ外部において空気溜まりが生じ難い。すなわち、隣接する縦畝間を介して医療用トレイ外部の雰囲気から酸素を除去できる。よって、医療用トレイの外部の外部でのカビの発生を確実に抑制可能である。
【００３１】
また、請求項８に記載の医療用トレイによれば、請求項７に記載の発明の作用効果に加え、縦畝は縦溝と、横畝は横溝とそれぞれ表裏一体に形成されるので、酸素除去のための縦溝や縦畝等の形成が容易であり、特別コストが掛かるものではない。
【００３２】
また、請求項９に記載の医療用トレイによれば、請求項１乃至８に記載の発明の作用効果に加え、凸部の上端を断面円弧状としたので、袋が凸部に密着しても袋に傷が付き難い。また、袋と凸部との間に残存する酸素量を少なくすることもできる。
【００３３】
なお、本発明の医療用トレイのように、側壁の上部に凸部及び凹部を交互にそれぞれ複数設けて櫛歯状にした点は、上述した特許文献１，２には全く記載されていない。
【図面の簡単な説明】
【００３４】
【図１】本発明の実施形態に係る医療用トレイを示す平面図である。
【図２】本発明の実施形態に係る医療用トレイを示す正面図である。
【図３】本発明の実施形態に係る医療用トレイを示す右側面図である。
【図４】本発明の実施形態に係る医療用トレイの要部を示す拡大斜視図である。
【図５】本発明の実施形態に係る医療用トレイを示す、図１のＡ−Ａ線拡大断面図である。
【図６】本発明の他の実施形態に係る医療用トレイを示す、要部拡大断面図である。
【図７】従来例に係る医療用トレイを示す平面図である。
【発明を実施するための形態】
【００３５】
図１乃至図５を参照して、本発明の実施形態に係る医療用トレイ２００を説明する。
この医療用トレイ２００は、底部３０と、側壁４０を備え上方が開口した略箱状で、医療容器（例えば白除バッグ、図示しない）及び脱酸素剤（図示しない）を内部に収容するとともに可撓性を有する袋（図示しない）の中に入れられるようにして包装されるものである。
【００３６】
底部３０は、四隅が切り落とされた略矩形状である。
底部３０の略中央には他の底部３０の部位から一段下げた段落ち収容部３５が設けられており、この段落ち収容部３５に脱酸素剤が収容される。段落ち収容部３５の深さは脱酸素剤の厚さよりも深く形成されている。医療容器は、段落ち収容部３５に脱酸素剤を収容した状態で底部３０の右半分部分に載置される。
また、医療容器が載置される底部３０の内面（上面）の右半分には、互いに平行な複数の縦溝３１と、縦溝３１に垂直で互いに平行な複数の横溝３２が形成されている。
本実施形態においては、図１において紙面上下に延びる溝を縦溝３１とし、紙面左右に延びる溝を横溝３２とした。
【００３７】
そして、縦溝３１は横溝３２よりも深く形成されており、縦溝３１は横溝３２と平行な二つの側壁４０（図１における上下の側壁４０）まで延びている。
また、一部の縦溝３１及び横溝３２は、段落ち収容部３５に連通している。
また、底部３０の左半分は白血球除去フィルタ、針、それらを連結するチューブ等（図示しない）を収容可能なように突出部３６が設けられている。この箇所の形状は収容物の形状や種類に応じて適宜変更される。
【００３８】
一方、底部３０の外面（下面）には、互いに平行な複数の縦畝３３と、縦畝３３に垂直で互いに平行な複数の横畝３４が形成されている。
縦溝３１に平行な畝が縦畝３３であり、横溝３２に平行な畝が横畝３４である。
そして、縦畝３３は横畝３４よりも高く形成されている。
ここで、この医療用トレイ２００はポリプロピレンやポリエチレン、ポリスチレン等のプラスチック製シートを原材料として真空成形により形成されるので、縦畝３３は縦溝３１と、横畝３４は横溝３２とそれぞれ表裏一体となっている。
【００３９】
側壁４０は、底部３０の周端から立設しており、側壁４０の上部には、凸部４１及び凹部４２を交互にそれぞれ複数設けられ、櫛歯状となっている。凸部４１の医療用トレイ２００周方向の幅は凹部４２の医療用トレイ２００周方向の幅の略二倍としたが、凸部４１に密着する袋を支えるために、二倍以上が好ましい。
【００４０】
また、図４及び図５に示すように、側壁４０の高さ方向略中央には段差部４４が設けられている。
また、側壁４０の内面には、上下方向に延び互いに平行な複数の上下溝４３が形成されている。この上下溝４３は側壁４０の下端から段差部４４まで延びている。
【００４１】
ここで、側壁４０の段差部４４までの高さ以下の厚さの医療容器が本実施形態に係る医療用トレイ２００に収容される。
つまり、本実施形態に係る医療用トレイ２００の側壁４０の高さは、従来例に係る医療用トレイ１００の側壁２０の高さよりも段差部４４から凸部４１上端までの距離分だけ高い。
また、図５に示すように凸部４１の上端は略水平で平坦となっている。
また、側壁４０の内面を下から上へ医療用トレイ２００の外方（図５における右方向）に向けて傾斜させて形成した。段差部４４よりも下方、及び段差部４４よりも上方のいずれにおいてもこのように傾斜させている。
【００４２】
そして、底部３０の全ての縦溝３１の左右方向（図１における左右方向）の位置をそれぞれ上下溝４３に合わせて、縦溝３１と上下溝４３を連通させている。
さらに、上下溝４３を凹部４２と連通させた。これは側壁４０に段差部４４を設けたことと、段差部４４より上方の側壁４０（凸部４１）を傾斜させたことによって実現している。すなわち、医療用トレイ２００内に医療容器及び脱酸素剤を収容しても、段差部４４上方の側壁４０には医療容器が接することがなく隙間が生じている結果として、上下溝４３と凹部４２とが連通している。
また、複数ある凹部４２のうち一部を上下溝４３の真上に形成した。
【００４３】
以上のように構成された医療用トレイ２００によれば、側壁４０の上部に凸部４１及び凹部４２を交互にそれぞれ複数設けて櫛歯状にしたので、袋が側壁４０の上端全周、すなわち全ての凸部４１に密着しても袋は凹部４２には密着しない。これにより、凹部４２は袋によって塞がれることはないので空隙としてそのまま残る。したがって、凹部４２を介して医療用トレイ２００の内外が通気するので、医療用トレイ２００内部に収容された脱酸素剤によって医療用トレイ２００の外部の雰囲気から酸素を除去して、カビの発生を抑制することができる。
【００４４】
また、凸部４１の医療用トレイ２００周方向の幅は凹部４２の医療用トレイ２００周方向の幅の略二倍としたので、医療用トレイ２００を袋で包装したときに凸部４１と袋との接触面積を多く確保できる。そのため、凹部４２が袋によってふさがれることがない。
【００４５】
また、このように凸部４１及び凹部４２を交互にそれぞれ複数設けることは、真空成形によって実現できるので、凸部４１及び凹部４２を医療用トレイ２００の他の部位と同時に一度に形成可能である。よって、従来と比べても工程数の増加もなく、また製造方法も容易なので、コスト高とはならない。
また、側壁４０の上部に凸部４１及び凹部４２をそれぞれ複数形成しても、医療用トレイ２００全体の強度は低下しないので、その取扱いは容易で製造現場や医療現場における作業性の低下という問題も生じない。むしろ、凹凸を形成することで医療用トレイ２００の強度が向上する。
【００４６】
さらに、底部３０の内面に互いに平行な複数の縦溝３１と縦溝３１に垂直で互いに平行な複数の横溝３２を形成するとともに、側壁４０の内面に上下方向に延び互いに平行な複数の上下溝４３を形成し、縦溝３１を上下溝４３と連通させ、しかも上下溝４３を凹部４２と連通させたので、縦溝３１、横溝３２、上下溝４３、及び凹部４２を介して医療用トレイ２００の内部及び外部の雰囲気から酸素を確実に除去できる。よって、医療用トレイ２００の内部及び外部においてカビの発生をさらに抑制できる。
【００４７】
また、凹部４２の一部を上下溝４３の真上に形成したので、上下溝４３と凹部４２との距離が最短となり、通気の効率がよい。よって、酸素の除去の効率もよいので、カビの発生を抑制可能である。
また、凸部４１の内面を下から上へ外方に傾斜させて形成したので、その傾斜した分だけ医療用トレイ２００内の空間が広くなり、通気性が向上する。
【００４８】
また、縦溝３１を横溝３２よりも深く形成したので、仮に医療容器が横溝３２に密着した場合でも、横溝３２よりも深い縦溝３１には密着しない。よって、確実に縦溝３１を介して医療用トレイ２００内部の雰囲気から酸素を除去できるので、一層カビが発生し難い。
【００４９】
また、底部３０の外面に互いに平行な複数の縦畝３３と縦畝３３に垂直で互いに平行な複数の横畝３４を形成するとともに、縦畝３３を横畝３４よりも高くしたので、医療用トレイ２００外部において空気溜まりが生じ難い。すなわち、隣接する縦畝３３間を介して医療用トレイ２００外部の雰囲気から酸素を除去できる。よって、医療用トレイ２００の外部の外部でのカビの発生を確実に抑制可能である。
その縦畝３３は縦溝３１と、横畝３４は横溝３２とそれぞれ、真空成形によって表裏一体に形成されるので、酸素除去のための縦溝３１や縦畝３３等の形成が容易であり、特別コストが掛かるものではない。
【００５０】
なお、本実施形態において、底部３０に縦溝３１、横溝３２、及び上下溝４３を形成したが、これに限られるものではなく、少なくとも側壁４０の上部に凸部４１及び凹部４２が形成されていれば袋に密着しない凹部４２を介して通気性は確保されるので全ての溝３１，３２，４３あるいは一部の溝を省略することもできる。
また、縦溝３１を横溝３２よりも深く形成したが、これに限られるものではなく、医療容器が密着してない程度に深く形成されていれば縦溝３１と横溝３２が同じ深さであってもよい。
【００５１】
また、凸部４１の医療用トレイ２００周方向の幅は、凹部４２の医療用トレイ２００周方向の幅の二倍以上としたが、凹部４２の医療用トレイ２００周方向の幅よりも広ければよい。
【００５２】
さらに、上下溝４３を凹部４２と連通させたが、このようにしなくても側壁４０の上部に凸部４１及び凹部４２が形成されていれば医療用トレイ２００の外部の酸素を除去することはできる。
また、凹部４２の一部を上下溝４３の真上に形成したが、これに限られるものではなく、凹部４２と上下溝４３の左右位置がずれていても医療用トレイ２００の外部の酸素の除去は可能である。これとは逆に、全ての凹部４２を上下溝４３の真上に形成してもよい。
【００５３】
また、底部３０の外面に縦畝３３や横畝３４を形成したが、これに限られるものではない。
また、縦畝３３は縦溝３１と、横畝３４は横溝３２とそれぞれ表裏一体に形成されたが、これに限られるものではなく、底部３０を肉厚にして縦畝３３を縦溝３１とは独立に形成し、さらに横畝３４を横溝３２とは独立に形成してもよい。
【００５４】
また、凸部４１の内面を下から上へ外方に傾斜させて形成したが、これに限られるものではない。
また、凸部４１の上端を平坦としたが、これに限られるものではなく図６に示すように、凸部４１の上端を断面円弧状としてもよい。これにより、袋が凸部４１に密着しても袋に傷が付き難く、しかも袋と凸部との間に残存する酸素量を少なくすることもできる。
【００５５】
また、縦溝３１を上下溝４３と連通させたが、横溝３２を外方に延長してその先にある上下溝４３と連通させてもよい。
【００５６】
また、底部３０に段落ち収容部３５を形成してそこに脱酸素剤を収容したが、脱酸素剤の収容位置はこれに限られるものではない。
また、収容する医療容器を白除バッグとしたが、これに限られるものではない。
また、医療容器とともに収容するものを脱酸素剤としたが、シリカゲル等のように除湿剤であってもよく、さらには他の機能を有するものであってもよい。
【００５７】
さらには、このトレイは医療用トレイ２００として使用されるものに限られず、例えばお菓子用等、他の用途の梱包材にも適用できる。
すなわち、本実施形態に係る医療用トレイ２００と同様に、側壁４０に凸部４１と凹部４２を有し内部にシリカゲル等（脱酸素剤を含めることも可能である）を収容していれば、トレイ内外の除湿を行うことができる。
もちろん、医療用以外の用途であっても底部３０に縦溝３１及び横溝３２、また側壁４０に上下溝４３が形成されていればなおよい。
【符号の説明】
【００５８】
１０      底部
１１      孔
２０      側壁
３０      底部
３１      縦溝
３２      横溝
３３      縦畝
３４      横畝
３５      段落ち収容部
３６      突出部
４０      側壁
４１      凸部
４２      凹部
４３      上下溝
４４      段差部
１００      医療用トレイ
２００      医療用トレイ
【図１】
2014188013.tif 000003
【図２】
2014188013.tif 000004
【図３】
2014188013.tif 000005
【図４】
2014188013.tif 000006
【図５】
2014188013.tif 000007
【図６】
2014188013.tif 000008
【図７】
2014188013.tif 000009